(57)【要約】      （修正有）【課題】台所の流しの排水口のカビの発生を抑制する。【解決手段】排水口の中に載置できる形状およびサイズの銅板１Ａの、全部の面に銀コーティング層を施す。次に、表面から裏面へと貫通するよう複数個の通水孔を開けたものを、カビ悪臭減少板１として構成する。これを排水口の中に設置すると、銅イオンや銀イオンが排水中に溶け込み、殺菌効果，抗菌効果を発揮し、カビの発生を軽減する。【選択図】図１
0003106425.tif 000002
【実用新案登録請求の範囲】
【請求項１】
排水口内に設置し得るようその断面に合わせた形状とされ、全部の面に銀コーティング層が施された銅板に、
表面から裏面へと貫通するよう複数個の通水孔を開けて構成した
ことを特徴とするカビ悪臭減少板。
【考案の詳細な説明】
【技術分野】
【０００１】
本考案は、台所の流しの排水口に設置して、カビや悪臭を減少するカビ悪臭減少板に関するものである。
【背景技術】
【０００２】
台所の排水口をはじめとして、住宅の水まわり部分の排水口にはカビが発生し、それに伴い「ぬめり」とか悪臭が発生する。排水口で発生するカビや悪臭の中で、最も重視されるのは台所の排水口のものである。なぜなら、最近の住宅では間取りや部屋のつくりがますます洋風化し、台所は直ぐリビングルーム等の居室につながっていることが多く、台所の排水口からの悪臭は、居室にまで漂って来るからである。
先ず、台所の流しの排水口の構造と、ぬめりや悪臭の元になるカビが発生する部分について説明する。
【０００３】
図４は、台所の流しの排水口の１例を示す図である。図４において、９は排水口、１０は流しの底面、１１は排水口上部、１１Ａは段部、１２は排水ゴミかご、１２Ａは上端縁、１３は排水口底ぶた、１３Ａは平板部、１３Ｂは通水孔、１３Ｃは筒部、１４は排水口下部、１４Ａは段部、１５は排水パイプ、１６は溜り水、１７は矢印である。
流しの底面１０の１箇所に排水口９が設けられているが、その排水口９は排水口上部１１と排水口下部１４とから成っている。排水口上部１１の上端には、排水ゴミかご１２を係止するための段部１１Ａが設けられている。
排水ゴミかご１２は、周知のように、生ゴミは中に残るが水は周壁及び底部から出て行くようにされている円筒状の構造物であるが、その上端には、外方へ張り出した上端縁１２Ａが設けられ、これが前記した段部１１Ａに係止される。
【０００４】
排水口下部１４の口径は排水口上部１１の口径より少し小とされ、そのため両者の境界には自ずと段部（１４Ａ）が形成される。そして、排水口下部１４は、排水パイプ１５へとつながれる。そのつなぎ方は、排水パイプ１５の上端が、排水口下部１４内へ突出するようにつながれる。その理由は、排水動作が終了しても、この部分に溜り水１６が出来るようにするためである。
排水口上部１１と排水口下部１４との境界の段部１４Ａには、排水口底ぶた１３が載置される。
図５は、排水口底ぶた１３の一部断面斜視図である。平板部１３Ａの下面には、平板部１３Ａの直径より相当に小さい直径の筒部１３Ｃが、下方に向けて植立されている。そして、平板部１３Ａの部分の内、筒部１３Ｃより外側の部分には、多くの通水孔１３Ｂが開けられている。
【０００５】
このような構造の排水口底ぶた１３が、図４に示すように、筒部１３Ｃを下にして段部１４Ａに載置されるわけであるが、このように載置した時、筒部１３Ｃの下端は排水パイプ１５の上端より下方となるというような寸法にされる。つまり、筒部１３Ｃの下端が、溜り水１６の中に沈むような長さとする。
こうすると、上から流れて来た排水は通水孔１３Ｂから下方に流れ、矢印１７のように、筒部１３Ｃの下端を潜り、排水パイプ１５の上端を乗り越え、排水パイプ１５へと流れ去る。排水終了時には溜り水１６が残るため、排水パイプ１５内のカビの悪臭は、排水口底ぶた１３と溜り水１６により遮断され、それより上には上がって来ない。
【０００６】
カビは、生ゴミや排水が接触する部分に生えるから、図４の排水口上部１１の内壁，排水ゴミかご１２の表面，排水口底ぶた１３の表面，排水口下部１４の内壁および排水パイプ１５の表面に生える。ぬめりや悪臭は、これらのカビによって生ずるわけであるが、排水口底ぶた１３が正常に機能していれば、一応ふたがなされる形となるので、排水パイプ１５に生えたカビによる悪臭は、排水口９から上がって来ることはない。しかし、それ以外の部分のカビによる悪臭は、上がって来る。
従来、これらのカビに対しては、手が届く範囲のものは台所洗剤を用いてタワシ等で清掃したり、あるいは手が届かない範囲のものも含め、強力な塩素系洗剤で化学的に除去したりすることが行われている。
【考案の開示】
【考案が解決しようとする課題】
【０００７】
タワシ等で清掃出来るのはほんの一部だけで、多くの部分は清掃されずに残ってしまう。だいいち、この清掃はしょっちゅうやらなければならず、面倒である。また、強力な塩素系洗剤で化学的に除去するのには、強力な酸化作用という化学反応を利用しているので、その作業時には塩素特有の不快な匂いが発生し、子供等には危険を伴う。そして、何よりも、それが外部へ流れて行って環境を汚染してしまう。
本考案は、以上のような問題点を解決することを課題とするものである。
【課題を解決するための手段】
【０００８】
前記課題を解決するため、本考案では、排水口内に設置し得るようその断面に合わせた形状とされ、全部の面に銀コーティング層が施された銅板に、表面から裏面へと貫通するよう複数個の通水孔を開けて構成したことを特徴とするカビ悪臭減少板を提供することとした。
【考案の効果】
【０００９】
本考案のカビ悪臭減少板によれば、次のような効果を奏する。
（１）金属製の板であるカビ悪臭減少板を、排水口の所定位置にただ置いておくだけであるから、手間はかからず面倒なことは一切ない。
（２）排水と接触することにより銅イオン，銀イオンを発生し、それらの殺菌効果，抗菌効果により、排水口におけるカビの発生を減少する。
（３）化学反応による不快な匂いを発生せず、外部に流れ出た排水が環境を汚染することもない。
【考案を実施するための最良の形態】
【００１０】
以下、本考案の実施形態を図面に基づいて詳細に説明する。
図１は、本考案のカビ悪臭減少板を示す図である。図１において、１はカビ悪臭減少板、１Ａは銅板、１Ｂは銀コーティング層、２は通水孔、３は部分である。図１の（１）はカビ悪臭減少板１の斜視図、（２）は平面図、（３）は側面図、（４）はカビ悪臭減少板の一部断面図である。
カビ悪臭減少板１は、全体としては平板状であり、排水口の断面が円形である場合、それに合わせて円形とされている。その円の直径は、図４の排水ゴミかご１２の底部に載置したり、排水口底ぶた１３の上に載置したりすることが出来る程度の直径とされる。通水孔２は、カビ悪臭減少板１の表面から裏面へと貫通されている孔であり、複数個設けられる。
図１（４）は、（３）に示される任意の部分３の断面を示したものである。カビ悪臭減少板１は、先ず銅板１Ａの全部の面に銀コーティング層１Ｂを施され、次に表面から裏面へと貫通する通水孔２が開けられることにより構成される。このような構成により、銅が通水孔２の内壁面にて排水と接触し、銀が他の全表面にて排水と接触することになる。
次に、このカビ悪臭減少板１の使用の仕方を説明する。
【００１１】
図２は、本考案のカビ悪臭減少板の第１の使用態様を示す図である。符号は図１，図４のものに対応している。第１の使用態様は、排水ゴミかご１２の底に置いて使用するという使用態様である。
カビ悪臭減少板１を排水ゴミかご１２の底に置いておくと、排水はカビ悪臭減少板１に触れて流れることになるが、カビ悪臭減少板１が排水に浸されると、銅板１Ａからは銅イオンが発生し、銀コーティング層１Ｂからは銀イオンが発生する。これらのイオンは排水中に含まれることになるが、銅イオンは殺菌効果を有し、銀イオンは抗菌効果を有している。
排水は排水口９の内壁に満遍なく接触するから、手の届かない細かいところまでイオンによる殺菌効果や抗菌効果が及び、カビの発生が減少される。そのため、ぬめりや悪臭も減少される。
【００１２】
図３は、本考案のカビ悪臭減少板の第２の使用態様を示す図である。符号は図１，図４のものに対応している。第２の使用態様は、排水口底ぶた１３の上に置いて使用するという使用態様である。
この場合も、やはり排水はカビ悪臭減少板１に触れて流れることになり、カビの発生が減少され、ぬめりや悪臭も減少される。
これらの使用態様で実験してみたところ、効果は極めて顕著であった。日常の手間であるが、これらの使用態様は、金属製の円板であるカビ悪臭減少板１を、ただ所定位置に置いておくだけであるから、手間はかからず面倒なことは一切ない。そして、化学反応による不快な匂いも発生することがなく、勿論、子供に危険を及ぼすこともない。流れ去った排水が環境を汚染することもないのは言うまでもなく、全くの無公害である。
【００１３】
なお、上例では台所の流しの排水口に使用するカビ悪臭減少板について述べたが、他の排水口（例えば、風呂場の排水口，水洗トイレの排水口など）に同様のカビ悪臭減少板を使用しても、勿論、同様の効果（例えば、トイレに特有の黄ばみ，悪臭の発生の減少）を奏する。
その場合には、カビ悪臭減少板の直径あるいは形状を、使用しようとする排水口に適合するようなものに（例えば、排水口の断面が円形でなく、楕円形や四角形等であったなら、それに合わせた形状のものに）製作することは勿論であるし、それらにおける通水孔の大きさや数は、その排水口に流れる水量や、その排水に含まれる固形物の大きさや量を勘案して、適宜決定する。
【図面の簡単な説明】
【００１４】
【図１】本考案のカビ悪臭減少板を示す図
【図２】本考案のカビ悪臭減少板の第１の使用態様を示す図
【図３】本考案のカビ悪臭減少板の第２の使用態様を示す図
【図４】流しの排水口の１例を示す図
【図５】排水穴底ぶたの一部断面斜視図
【符号の説明】
【００１５】
１…カビ悪臭減少板、１Ａ…銅板、１Ｂ…銀コーティング層、２…通水孔、３…部分、９…排水口、１０…流しの底面、１１…排水口上部、１１Ａ…段部、１２…排水ゴミかご、１２Ａ…上端縁、１３…排水口底ぶた、１３Ａ…平板部、１３Ｂ…通水孔、１３Ｃ…筒部、１４…排水口下部、１４Ａ…段部、１５…排水パイプ、１６…溜り水、１７は矢印
【図１】
0003106425.tif 000003
【図２】
0003106425.tif 000004
【図３】
0003106425.tif 000005
【図４】
0003106425.tif 000006
【図５】
0003106425.tif 000007